(57)【要約】【課題】外輪に形成された油孔から潤滑油が供給される構成において、通油性のよい油溜りを設けて潤滑性能を向上することができるラジアルころ軸受を提供する。【解決手段】ソリッド形ラジアルニードル軸受１０は、外輪１３に形成された油孔１６から供給される潤滑油によって潤滑される。保持器２０の一対のリム部２１の少なくとも一方の外周面には、軸方向内側に向かって内径側に傾斜し、ポケット２３に臨むテーパー状の凹部２４が形成されている。【選択図】図１
2016142331.tif 000002
【特許請求の範囲】
【請求項１】
内周面に外輪軌道面を有すると共に、軸方向両端部に径方向内向きに延びる一対の鍔部を有する外輪と、
前記外輪軌道面に転動可能に配置された複数のころと、
軸方向に間隔を開けて設けられた円環状の一対のリム部と、該両リム部間に円周方向に間隔を開けて配置された複数の柱部とを備え、円周方向に隣り合う前記柱部と前記両リム部とによりそれぞれ画成される複数のポケットで前記複数のころを転動可能に保持する保持器と、
を備え、前記外輪に形成された油孔から供給される潤滑油によって潤滑されるラジアルころ軸受であって、
前記保持器の一対のリム部の少なくとも一方の外周面には、軸方向内側に向かって内径側に傾斜し、前記ポケットに臨むテーパー状の凹部が形成されていることを特徴とするラジアルころ軸受。
【請求項２】
前記油孔は、前記凹部に開口するように、前記外輪の鍔部に形成されることを特徴とする請求項１に記載のラジアルころ軸受。
【請求項３】
前記凹部は、円周方向に隣接する前記柱部と前記リム部とを連結する連結部間で、前記リム部の外周面に形成されることを特徴とする請求項１に記載のラジアルころ軸受。
【発明の詳細な説明】
【技術分野】
【０００１】
本発明は、ラジアルころ軸受に関し、特に、ラジアル円筒ころ軸受や、ソリッド形ラジアルニードル軸受のような、建設機械の油圧ポンプや鉄鋼設備等に使用されるラジアルころ軸受に関する。
【背景技術】
【０００２】
従来、図８に示すようなころ軸受１００において、外輪１０１と、外輪１０１の内周面に転動可能に配置された複数のころ１１０と、複数のころ１１０を保持するポケット１２１を有する保持器１２０と、を備え、外輪１０１の軸方向中間部に形成された油孔１０５及び油溝１０６から潤滑油を供給して、ころ１１０を潤滑することが知られている。
【０００３】
また、図９に示すようなころ軸受１００ａでは、外輪１０１の鍔部１０２に径方向に貫通するように油孔１０５及び油溝１０６を形成し、油孔１０５を通過した潤滑油が保持器１２０のリム部１２２の外周面を介して、ころ１１０を潤滑している。
【０００４】
さらに、ラジアル円筒ころ軸受や、ラジアルニードル軸受に使用される保持器において、保持器に凹部を設けたものが種々考案されている（例えば、特許文献１〜３参照）。例えば、特許文献１に記載の転がり軸受ユニットでは、自己潤滑性を有する樹脂製保持器を構成するリム部の外側面に、油溜りとして機能する多数の凹部を設けることが記載されている。また、特許文献２に記載の針状ころ軸受では、円筒部材の軸方向両端面に凹部としての油溝を形成することが記載されている。さらに、特許文献３に記載のラジアルニードル軸受では、柱部とリム部との連結部同士の間に凹部を形成し、ポケットの隅部の曲率半径を大きくすることで、応力集中を軽減して、保持器の強度を図ると共に、凹部を油溜りとして機能させることが記載されている。
【先行技術文献】
【特許文献】
【０００５】
【特許文献１】特開２００９−１９７８２４号公報
【特許文献２】特開２００９−１５６３９１号公報
【特許文献３】特開２００６−３４２８８３号公報
【発明の概要】
【発明が解決しようとする課題】
【０００６】
ところで、図８や図９に示すように、外輪１０１に形成された油孔１０５から潤滑油が供給されるころ軸受１００では、ポケット内部だけでなく、ポケット１２１と連通する軸受空間内で、潤滑油を一時的に保持することができ、且つ、必要に応じてポケット内部へ供給できる通油性のよい油溜りが求められる。
【０００７】
特許文献１に記載の転がり軸受ユニットや、特許文献２に記載の針状ころ軸受では、保持器に油溝を形成して潤滑性向上を狙っているが、ポケット部に油溝や油溜りが設けられていないため、ころとポケット部で潤滑油を保持することができなかった。また、特許文献３に記載のラジアルニードル軸受では、ポケット部の内面に凹部が形成され、応力集中緩和と耐焼き付き性能の向上が図られているが、外輪の油孔からのポケット部への潤滑については考慮されていない。
【０００８】
本発明は、前述した課題に鑑みてなされたものであり、その目的は、外輪に形成された油孔から潤滑油が供給される構成において、通油性のよい油溜りを設けて潤滑性能を向上することができるラジアルころ軸受を提供することにある。
【課題を解決するための手段】
【０００９】
本発明の上記目的は、下記の構成により達成される。
（１）  内周面に外輪軌道面を有すると共に、軸方向両端部に径方向内向きに延びる一対の鍔部を有する外輪と、
前記外輪軌道面に転動可能に配置された複数のころと、
軸方向に間隔を開けて設けられた円環状の一対のリム部と、該両リム部間に円周方向に間隔を開けて配置された複数の柱部とを備え、円周方向に隣り合う前記柱部と前記両リム部とによりそれぞれ画成される複数のポケットで前記複数のころを転動可能に保持する保持器と、
を備え、前記外輪に形成された油孔から供給される潤滑油によって潤滑されるラジアルころ軸受であって、
前記保持器の一対のリム部の少なくとも一方の外周面には、軸方向内側に向かって内径側に傾斜し、前記ポケットに臨むテーパー状の凹部が形成されていることを特徴とするラジアルころ軸受。
（２）  前記油孔は、前記凹部に開口するように、前記外輪の鍔部に形成されることを特徴とする（１）に記載のラジアルころ軸受。
（３）  前記凹部は、円周方向に隣接する前記柱部と前記リム部とを連結する連結部間で、前記リム部の外周面に形成されることを特徴とする（１）に記載のラジアルころ軸受。
【発明の効果】
【００１０】
本発明のラジアルころ軸受によれば、外輪に形成された油孔から供給される潤滑油によって潤滑される構成において、保持器の一対のリム部の少なくとも一方の外周面には、軸方向内側に向かって内径側に傾斜し、ポケットに臨むテーパー状の凹部が形成されている。これにより、テーパー状の凹部が通油性のよい油溜りとなり、潤滑性能を向上することができる。
【図面の簡単な説明】
【００１１】
【図１】本発明の一実施形態に係るソリッド形ラジアルニードル軸受の断面図である。
【図２】図１の保持器を示す斜視図である。
【図３】本発明の第１変形例に係るソリッド形ラジアルニードル軸受の断面図である。
【図４】本発明の第２変形例に係るソリッド形ラジアルニードル軸受の断面図である。
【図５】本発明の第３変形例に係るソリッド形ラジアルニードル軸受の断面図である。
【図６】本発明の第４変形例に係るソリッド形ラジアルニードル軸受の断面図である。
【図７】本発明の第５変形例に係るソリッド形ラジアルニードル軸受の断面図である。
【図８】従来のラジアルころ軸受の断面図である。
【図９】従来の他のラジアルころ軸受の断面図である。
【発明を実施するための形態】
【００１２】
以下、本発明のラジアルころ軸受の一実施形態に係るソリッド形ラジアルニードル軸受について、図面に基づいて詳細に説明する。
図１及び図２に示すように、本実施形態のソリッド形ラジアルニードル軸受１０は、転動体である複数のニードル１１と、内周面に外輪軌道面１２を有する外輪１３と、複数のニードル１１を転動可能に保持する樹脂製の保持器２０と、を備える。
【００１３】
外輪１３は、軸方向両端部に径方向内向きに延びる一対の鍔部１４，１５を有しており、また、一方の鍔部１５には、径方向に貫通する油孔１６と、外周面において該油孔１６と連通する環状の油溝１７とが形成されている。
【００１４】
保持器２０は、軸方向に間隔を開けて設けられた円環状の一対のリム部２１と、両リム部２１間に円周方向に間隔を開けて配置された複数の柱部２２とを備え、円周方向に隣り合う柱部２２と両リム部２１とによりそれぞれ画成されて複数のポケット２３が形成されている。また、保持器２０は、一対のリム部２１の外周面が一対の鍔部１４，１５の内周面と対向して、外輪案内されている。
これにより、複数のニードル１１は、外輪軌道面１２に転動可能に配置されて、複数のポケット２３内に保持されている。
【００１５】
また、保持器２０の一対のリム部２１の外周面には、軸方向内側に向かって内径側に傾斜し、ポケット２３に臨むテーパー状の凹部２４が形成されている。テーパー状の凹部２４は、円周方向に隣接する柱部２２と各リム部２１とを連結する連結部間にそれぞれ形成される。
【００１６】
また、外輪１３の鍔部１５に形成された油孔１６は、このテーパー状凹部２４に開口している。
【００１７】
したがって、テーパー状の凹部２４は、通油性のよい油溜りとなり、ニードル１１に潤滑油を供給することができ、潤滑性能を向上することができる。特に、保持器２０は、外輪案内されるので、外輪１３の内周面とで、凹部２４は潤滑油の保持性を高めることができる。
また、外輪１３に形成された油孔１６は、テーパー状の凹部２４に開口しているので、油孔１６から供給される潤滑油が、通油性のよいテーパー状の凹部２４を通過して、ポケット２３内に供給され、潤滑性能をより向上することができる。
【００１８】
尚、本発明は、前述した実施形態に限定されるものではなく、適宜、変形、改良、等が可能である。
【００１９】
例えば、図３に示す第１変形例のように、外輪１３は、一対の鍔部１４、１５の両側に、油孔１６及び油溝１７を有してもよい。
なお、上記実施形態では、保持器２０のリム部２１は、図２に示すように、テーパー状の凹部２４の軸方向外側に円筒面２６を有しているが、図３に示すように、テーパー状の凹部２４が、リム部２１の軸方向外端面まで形成されていてもよい。
【００２０】
また、図４に示す第２変形例のように、外輪１３は、軸方向中間部に、油孔１６及び油溝１７を有する構成であってもよい。これにより、鍔部１４、１５の軸方向幅を小さくすることができ、省スペース化に寄与することができる。
併せて、図３と同様に、テーパー状の凹部２４をリム部２１の軸方向外端面まで形成することで、油溜りとして機能を確保しつつ、コンパクト化を図ることができる。
【００２１】
また、図５に示す第３変形例のように、外輪１３の油孔１６は、鍔部１５に斜めに形成され、ニードル１１の軸方向端面及び保持器２０のテーパー状凹部２４に開口するようにしてもよい。
【００２２】
また、図６に示す第４変形例のように、外輪１３の油孔１６は、逃げ溝１８が形成される部分に開口するようにしてもよい。
さらに、図７に示す第５変形例のように、外輪１３の油孔１６は、鍔部１５を軸方向に貫通するようにしてもよい。
第４及び第５変形例の場合、テーパー状の凹部２４は、通油性のよい油溜りとなり、潤滑油を一時的に保持すると共に、ニードル１１に該凹部２４に保持された潤滑油を円滑に供給することができ、潤滑性能を向上することができる。
【００２３】
また、上記実施形態では、保持器は合成樹脂製としているが、これに限らず、金属製であってもよい。
さらに、本発明のラジアルころ軸受は、上記実施形態のソリッド形ラジアルニードル軸受に限定されず、例えば、ラジアル円筒ころ軸受であってもよい。
【符号の説明】
【００２４】
１０     ソリッド形ラジアルニードル軸受（ラジアルころ軸受）
１１     ニードル（ころ）
１２     外輪軌道面
１３     外輪
１４、１５     鍔部
１６     油孔
１７     油溝
２０     保持器
２１     リム部
２２     柱部
２３     ポケット
２４     テーパー状の凹部
【図１】
2016142331.tif 000003
【図２】
2016142331.tif 000004
【図３】
2016142331.tif 000005
【図４】
2016142331.tif 000006
【図５】
2016142331.tif 000007
【図６】
2016142331.tif 000008
【図７】
2016142331.tif 000009
【図８】
2016142331.tif 000010
【図９】
2016142331.tif 000011